(57)【要約】【課題】印刷位置の位置ずれが積算していかないようにして、印刷面に対して実際に印刷する面積が大きくあまり余裕がない場合であっても印刷するタイミングを定期的にずらす等の対策が必要のないキャンペーンラベルを提供可能とする。【解決手段】表面２ａにキャンペーン情報印刷層２４が設けられ裏面２ｂに秘匿情報印刷層２１が設けられた不透明基材２と、裏面に被着体３１に対して剥離可能な貼着力を有する再剥離可能接着部２３が設けられた透明基材２０と、を有し、不透明基材の裏面側と透明基材の表面側とが、剥離不可接着部２２によって接着された。【選択図】図１
2018017991.tif 000002
【特許請求の範囲】
【請求項１】
表面にキャンペーン情報印刷層が設けられ裏面に秘匿情報印刷層が設けられた不透明基材と、
裏面に被着体に対して剥離可能な貼着力を有する再剥離可能接着部が設けられた透明基材と、を有し、
前記不透明基材の裏面側と前記透明基材の表面側とが、剥離不可接着部によって接着されたことを特徴とするキャンペーンラベル。
【請求項２】
請求項１記載のキャンペーンラベルの製造方法であって、
前記不透明基材の表面に前記キャンペーン情報印刷層を設けるキャンペーン印刷工程と、
前記不透明基材の裏面に前記秘匿情報印刷層を設ける秘匿情報印刷工程と、
前記透明基材の裏面に前記再剥離可能接着部を設ける再剥離可能接着部形成工程と、
前記不透明基材の裏面側と前記透明基材の表面側とを、前記剥離不可接着部によって接着する接着工程と、を有することを特徴とするキャンペーンラベルの製造方法。
【発明の詳細な説明】
【技術分野】
【０００１】
本発明はキャンペーンラベルとその製造方法に関し、特にラベルを剥がさない限り秘匿情報をみることができないキャンペーンラベルに用いて好適な技術に関する。
【背景技術】
【０００２】
従来から、容器等の被着体に貼りつけられたラベルの表面にキャンペーン情報等の表示がされ、ラベルが剥がされるとその裏面に「あたり」、「はずれ」等の秘匿情報表示が現れるようなキャンペーンラベルが公知となっている。
【０００３】
そのようなキャンペーンラベルの一つとして、透明基材の表面に鏡文字で秘匿情報を印刷しておき、その上から表面にキャンペーン情報等が印刷された不透明基材を再剥離不可となるように貼着させて構成した２層ラベルを、不透明基材を外側にして透明基材を容器等に再剥離可能となるように貼りつけたものが知られている。このような２層ラベルは貼りついた状態ではキャンペーン情報のみが見え、剥がして裏から見ると秘匿情報を見ることができるようになっている（特許文献１）。
【０００４】
このようなキャンペーンラベルを製造するには、まず透明基材に秘匿情報を印刷し、不透明基材にキャンペーン情報をそれぞれ別個に印刷する。その後、秘匿情報とキャンペーン情報とが上下に重なる位置になるように位置合わせした後、両者を貼り合わせ、その後抜き工程を経てラベルが作成される。
【０００５】
秘匿情報とキャンペーン情報との位置合わせには、例えば不透明基材と透明基材との最初の印刷部分に位置合わせマーク等を印刷しておき、それらを目印に位置合わせを行い、貼り合わせをして後工程に送る。具体的には、例えば不透明基材と透明基材とを後工程に送るために一定の引っ張りテンションを加えながら、同時にそれぞれキャンペーン情報と秘匿情報との印刷を始め、両者が同ピッチとなるように印刷を行い、最初の貼り合わせ時に位置合わせマークを目印に両者の印刷位置を上下方向で一致させるようにすることが考えられる。
【０００６】
そのようにすればキャンペーン情報と秘匿情報は互いに同ピッチでそれぞれ印刷されているから継続的に貼り合わせていけば順次キャンペーン情報と秘匿情報とが一致した位置で貼り合わされていくことになる。
【０００７】
例えば、缶飲料に貼り付けられるキャンペーンラベルなどでは、ラベルの寸法として一辺が１０ｍｍ程度以下、なおかつ、互いに貼り付けられるキャンペーン情報と秘匿情報との重なり位置設定において、位置ずれに対する許容寸法範囲、つまり、余裕が１ｍｍ以下程度とされることがあった。
【先行技術文献】
【特許文献】
【０００８】
【特許文献１】特開２００１−３４１７０号公報
【発明の概要】
【発明が解決しようとする課題】
【０００９】
しかしながら、このようなキャンペーンラベルにおいて、透明基材と不透明基材とは素材が異なることが多々あり、その場合には同一の引っ張りテンションを加えた場合、透明基材と不透明基材は伸び長が異なることになり長時間連続してシステムを稼働させて製造をおこなっていると、最初に基材どうしでの印刷の位置合わせを行ったとしても、製造時間の経過にしたがって、次第に位置ずれが積算されて大きくなってしまうことが予想される。
【００１０】
その場合、ラベルの印刷面に対して実際に印刷する面積が十分に小さければ、多少の位置ずれが起きたとしても余裕があって問題はないが、印刷面に対して実際に印刷する面積が大きくあまり余裕がない場合には、印刷するタイミング等を定期的にずらす等の手段をこまめに処置して、位置ずれの増加を抑えて印刷が切れないように対策をとることが必要となり、手間がかかり作業性が悪化するという問題があった。
【００１１】
さらに、缶飲料に貼り付けられるキャンペーンラベルなどでは、サイズの小さなラベルに印刷する必要があり、この場合、上述したような位置ずれに対する許容範囲が狭いため、貼り付け工程におけるずれの発生が収率の維持に致命的な影響を与える場合があるという問題があった。さらに、サイズの小さなラベルに印刷する場合には、一度に多数のラベルを一列に配して印刷するため、上述したような位置ずれに対する許容範囲がさらに狭くなる場合があった。
【００１２】
本発明は、上記の事情に鑑みてなされたもので、印刷位置の位置ずれが積算していかないようにして、印刷面に対して実際に印刷する面積が大きくあまり余裕がない場合であっても印刷するタイミングを定期的にずらす等の対策が必要のないキャンペーンラベルを提供可能とするという目的を達成しようとするものである。
【課題を解決するための手段】
【００１３】
本発明のキャンペーンラベルは、表面にキャンペーン情報印刷層が設けられ裏面に秘匿情報印刷層が設けられた不透明基材と、
裏面に被着体に対して剥離可能な貼着力を有する再剥離可能接着部が設けられた透明基材と、を有し、
前記不透明基材の裏面側と前記透明基材の表面側とが、剥離不可接着部によって接着されたことにより上記課題を解決した。
本発明のキャンペーンラベルの製造方法には、上記のキャンペーンラベルの製造方法であって、
前記不透明基材の表面に前記キャンペーン情報印刷層を設けるキャンペーン印刷工程と、
前記不透明基材の裏面に前記秘匿情報印刷層を設ける秘匿情報印刷工程と、
前記透明基材の裏面に前記再剥離可能接着部を設ける再剥離可能接着部形成工程と、
前記不透明基材の裏面側と前記透明基材の表面側とを、前記剥離不可接着部によって接着する接着工程と、を有することが可能である。
【００１４】
本発明のキャンペーンラベルは、表面にキャンペーン情報印刷層が設けられ裏面に秘匿情報印刷層が設けられた不透明基材と、
裏面に被着体に対して剥離可能な貼着力を有する再剥離可能接着部が設けられた透明基材と、を有し、
前記不透明基材の裏面側と前記透明基材の表面側とが、剥離不可接着部によって接着されたことにより、キャンペーン情報と秘匿情報とが不透明基材の表裏に印刷することが可能となるので、同一基材の表裏にキャンペーン情報と秘匿情報との双方を印刷する際に、印刷面の引っ張りテンションに対する伸び長が、異なる素材からなる基材によって異なってしまうことがなく、印刷時に位置ずれが積算されていくことを防止することができる。例えば、秘匿情報を印刷してから基材を反転させてキャンペーン情報を印刷した場合には、キャンペーン情報の印刷タイミングを先頭の秘匿情報の印刷部分にあわせて印刷間隔を同じに設定することにより、印刷面が同一の基材なので両者の位置ずれが積算されていくことがない。ここで、単に基材の表裏に印刷してその基材を被着体に貼着させてその基材を剥離可能としたのみでは、再剥離可能接着部から不透明基材を剥離した時に裏面の印刷層が被着体の方に残ってしまう場合があるが、不透明基材の裏面側に透明基材を貼着させて貼り合わせることで、これを防止することが可能となる。ここで、不透明基材と透明基材との貼り合わせについては位置合わせに影響しない。
【００１５】
従来技術では、上層基材にキャンペーン情報の印刷を行い、下層基材に秘匿情報の印刷を行っていたが、本発明では上層基材に対応する不透明基材の表面側にキャンペーン情報の印刷を行うとともに裏面側に秘匿情報の印刷を行って、素材の違いによる影響をなくすことができる。同時に、下層基材を透明基材として２層にして貼り付けることで、裏面側の秘匿情報が被着体に残らないようにすることができる。
【００１６】
本発明のキャンペーンラベルの製造方法には、上記のキャンペーンラベルの製造方法であって、
前記不透明基材の表面に前記キャンペーン情報印刷層を設けるキャンペーン印刷工程と、
前記不透明基材の裏面に前記秘匿情報印刷層を設ける秘匿情報印刷工程と、
前記透明基材の裏面に前記再剥離可能接着部を設ける再剥離可能接着部形成工程と、
前記不透明基材の裏面側と前記透明基材の表面側とを、前記剥離不可接着部によって接着する接着工程と、を有することにより、不透明基材の表裏にキャンペーン情報と秘匿情報とを印刷する、つまり同一基材とされる不透明基材の表裏にキャンペーン情報と秘匿情報の双方を印刷して、素材が異なる２つの基材に別々に印刷することがないため、２つの基材の素材が異なることによる印刷面の引っ張りテンションに対する伸び長が異なる状態を防止して、位置ずれが積算されていくことがない。したがって、秘匿情報を印刷してから不透明基材を反転させ、キャンペーン情報を不透明基材に印刷した場合は、キャンペーン情報の印刷タイミングを、不透明基材における先頭の秘匿情報の印刷部分にあわせて印刷間隔を同じにしておくことによって、不透明基材での印刷面を同一基材とすることができ、両者の位置ずれが積算されていくことがない。ここで、単に不透明基材の表裏に印刷してその基材を被着体に貼着させてその基材を剥離可能としたのみでは、不透明基材を再剥離可能接着部から剥離した時、裏面の印刷層が被着体の方に残ってしまうことがあるが、透明基材を不透明基材の裏面側に貼着させて貼り合わせることで、これを防止することができる。ここで、不透明基材に対する透明基材の貼り合わせについては位置合わせに影響しない。
【発明の効果】
【００１７】
本発明によれば、不透明基材の表裏面にのみ印刷を行っているので、異なる素材を印刷して貼り合わせする場合に生じる印刷位置の位置ずれが積算されることがなく、これらによって生じた位置ずれを補正する必要がない。よって定期的に印刷位置の修正を行う必要がなくシステムを連続稼働した場合に定期的にシステムを止めて位置合わせする必要がないのでキャンペーンラベルの生産性が向上する。また秘匿情報の印刷が容器に残ることもなくラベルを剥がした時にクリアな秘匿情報を裏面からみることができるという効果を奏することが可能となる。
【図面の簡単な説明】
【００１８】
【図１】本発明に係るキャンペーンラベルの第１実施形態を示す模式断面図である。
【図２】本発明に係るキャンペーンラベルの製造方法の第１実施形態における製造装置を示す模式図である。
【図３】本発明に係るキャンペーンラベルの製造方法の第１実施形態における製造工程を示す模式断面図である。
【図４】本発明に係るキャンペーンラベルの製造方法の第１実施形態における製造工程を示す模式断面図である。
【図５】本発明に係るキャンペーンラベルの製造方法の第１実施形態における製造工程を示す模式断面図である。
【図６】本発明に係るキャンペーンラベルの製造方法の第１実施形態における製造工程を示す模式断面図である。
【図７】本発明に係るキャンペーンラベルの製造方法の第１実施形態における製造工程を示す模式断面図である。
【図８】本発明に係るキャンペーンラベルの製造方法の第１実施形態における製造工程を示す模式断面図である。
【図９】本発明に係るキャンペーンラベルの製造方法の第１実施形態における製造工程を示す模式断面図である。
【図１０】本発明に係るキャンペーンラベルの製造方法の第１実施形態における製造工程を示す模式断面図である。
【図１１】本発明に係るキャンペーンラベルの製造方法の第１実施形態における製造工程を示す模式断面図である。
【図１２】本発明に係るキャンペーンラベルの製造方法の第１実施形態における製造工程を示す模式断面図である。
【図１３】本発明に係るキャンペーンラベルの製造方法の第１実施形態における製造装置の反転部を示す模式斜視図である。
【発明を実施するための形態】
【００１９】
以下、本発明に係るキャンペーンラベルとその製造方法の第１実施形態を、図面に基づいて説明する。
図１は、本実施形態におけるキャンペーンラベルを示す模式断面図であり、図において、符号１０は、キャンペーンラベルである。
【００２０】
本実施形態に係るキャンペーンラベル（貼着ラベル）１０は、クジに利用できるようにしたもので、図１に示すように、樹脂又は紙製の不透明基材２の下面に、透明樹脂シートからなる透明基材２０を貼着させた二層構造により構成されている。
【００２１】
不透明基材２は、ポリプロピレンを主原料とするフィルム合成紙などの不透明シート材とされ、その表面２ａには、図１に示すように、例えば、応募のお知らせ等のキャンペーン情報等とされるキャンペーン情報印刷層２４が形成されている。また、不透明基材２の裏面２ｂには秘匿情報印刷層２１が印刷されている。
【００２２】
秘匿情報印刷層２１は、例えば、「当たり」「はずれ」等のようなくじ引きに相当する秘匿される可変情報として印刷により形成されている。秘匿情報印刷層２１は、例えば応募用のバーコードやＱＲコード（登録商標）などの２次元バーコード等とすることもできる。
【００２３】
これにより不透明基材２の裏面に印刷された秘匿情報印刷２１は不透明基材２によって隠蔽され、表面２ａ側からはその内容を読み取ることができないようになっている。
【００２４】
透明基材２０には、図１に示すように、その表面に剥離不可接着部２２が設けられ、透明基材２０の表面と不透明基材２の裏面２ｂとは、剥離不可接着部２２によって剥離不能として貼着されている。なお、剥離不可接着部２２は、秘匿情報印刷層２１を介して不透明基材２の裏面２ｂと接着されている。
【００２５】
剥離不可接着部２２は、透明基材２０の表面と不透明基材２の裏面２ｂとを接着するとともに、この剥離不可接着部２２を透過して、秘匿情報印刷２１を認識可能な程度に光透過性を有するものとされている。剥離不可接着部２２は、ＵＶ硬化型の接着剤からなるものとすることもできる。
【００２６】
透明基材２０は、剥離不可接着部２２と反対となる裏面に再剥離可能接着部２３が設けられる。再剥離可能接着部２３は、透明基材２０の裏面と商品３１の剥離表面３０とを接着するとともに、この再剥離可能接着部２３から透明基材２０を剥離した際に、この再剥離可能接着部２３の透明基材２０側の残部が、再剥離可能接着部２３、透明基材２０および剥離不可接着部２２を透過して、秘匿情報印刷２１を認識可能な程度に光透過性を有するものとされている。
【００２７】
上記構成の貼着ラベル１０は例えば、この再剥離可能接着部２３を介して応募対象となる商品３１の剥離表面３０に貼着させることができる。
【００２８】
ここで、剥離表面３０とは、金属や樹脂の表面等のように再剥離可能接着部２３が容易に剥離可能な面を意味するが、この場合、剥離表面３０を有する商品としての被貼着体３１は透明であってはならない。ここで、被貼着体３１としては、不透明であれば特に限定されないが、例えば、飲料缶、あるいはペットボトル等に巻回したシュリンクフィルム表面などを提示することができる。
また、透明基材２０の裏面に形成する再剥離可能接着部２３は、被貼着体３１の剥離表面３０に対して強制的に剥離可能な程度の貼着力を有するものを採用しておく。なお、一旦透明基材２０に貼着させた不透明基材２は不用意に剥離されないように剥離不可接着部２２の接着力は比較的強力なものとしておく。
【００２９】
本実施形態のキャンペーンラベル１０は、被貼着体３１の剥離表面３０に貼着された状態において、秘匿情報印刷層２１によって形成された秘匿情報が、その表面側からは不透明基材２によって隠蔽されているとともに裏面側からは不透明な被貼着体３１によって隠蔽された態様となっており、秘匿情報印刷層２１の秘匿情報はその内容を確認することができない。すなわち、貼着ラベル１０を商品に貼着させた状態において、確認できる情報は不透明基材２に記載されキャンペーン情報印刷層２４によって形成されたキャンペーン情報のみとなっている。
【００３０】
本実施形態のキャンペーンラベル１０の利用方法の例を説明する。
【００３１】
貼着ラベル１０が貼付された商品（被貼着体）３１を購入した需要者は、図１に示すように、キャンペーン情報印刷層２４によって形成されたキャンペーン情報としての応募のお知らせを読むことにより、懸賞内容等を確認する。この確認後に貼着ラベル１０を商品から剥がす。ここで、再剥離可能接着部２３は剥離表面３０に対し強制的に剥離可能な程度になっているので容易に剥離表面３０から剥離させることができる。
【００３２】
貼着ラベル１０を商品（被貼着体）３１から剥離させると、貼着ラベル１０の裏面側から、再剥離可能接着部２３、透明基材２０、剥離不可接着部２２を介して秘匿情報印刷層２１を透視して、この秘匿情報印刷層２１によって形成された秘匿情報の内容を確認することができる。つまり、再剥離可能接着部２３、透明基材２０、剥離不可接着部２２はいずれも透明であるから、秘匿情報印刷層２１によって形成された秘匿情報の内容が裏側から容易に透視可能となる。
【００３３】
このように貼着ラベル１０を被貼着体３１から剥離させることで、初めて裏から秘匿情報印刷層２１によって形成された秘匿情報の内容を確認することができるので、キャンペーンラベル１０をクジとして利用することができる。
【００３４】
さらに秘匿情報を確認した時、「当たり」であった場合には応募用のはがき等に貼着してそのまま応募シールとして利用できる。あるいは、秘匿情報印刷層２１によって形成された秘匿情報として形成された２次元バーコード等にアクセスすることが可能となる。
【００３５】
次に上述したようなキャンペーンラベル１０の製造方法について、図面に基づいて説明する。
【００３６】
図２は、本実施形態におけるキャンペーンラベルの製造方法に使用される製造装置を示す模式図である。
本実施形態におけるキャンペーンラベルの製造装置１は、図２に示すように、第一ロール４１と、秘匿情報印刷部４２と、反転部５２と、キャンペーン情報印刷部４３と、第一接着剤塗布部４４と、貼着部４５と、打ち抜き部４６と、不要ロール４８と、巻き取りロール４９と、第ニロール５１と、を有する。
【００３７】
図３〜図１２は、本実施形態におけるキャンペーンラベルの製造方法を示す模式断面図である。
本実施形態におけるキャンペーンラベルの製造方法は、まず、図２に示す第一ロール４１にロール状に巻き取られてなる不透明基材２を、この第一ロール４１から巻き解いて引き出す。この際、図３に示すように、不透明基材２の裏面２ｂに印刷可能なように第一ロール４１から不透明基材２が引き出される。
【００３８】
次いで、図２に示す秘匿情報印刷部４２において、所定のデザイン、形状とされる秘匿情報印刷層２１を、図４に示すように、不透明基材２の裏面２ｂに所定の間隔で形成するように印刷により順次行う。なお、不透明基材２としては、合成樹脂フィルムや紙の他、通常のタック原紙であればどのようなものでもよい。
【００３９】
その後、図１３に示す反転部５２によって、図５に示すように、不透明基材２の表裏を反転させる。反転部５２は、図１３に矢印で示す不透明基材２の搬送方向に対して、この搬送方向と交差する方向に不透明基材２を曲げ、搬送方向と平行な軸線を有する軸に対して巻回し、元の搬送位置まで戻した状態で搬送方向と交差する方向となっている不透明基材２を再度曲げて、元の搬送方向に走行させることで、不透明基材２の表裏面を反転するものとされる。
【００４０】
この反転された状態の不透明基材２に対して、図２に示すキャンペーン情報印刷部４３において、秘匿情報印刷層２１の位置に合わせてキャンペーン情報印刷層２４の形成を、図６に示すように、印刷によって順次行う。
【００４１】
キャンペーン情報印刷層２４の形成における位置合わせは自動でも手動でもよいが、これを自動でおこなう場合には、先頭の秘匿情報印刷層２１の印刷の際に秘匿情報印刷層２１の両サイドとなる位置に、例えば位置合わせ用のマーク等を印刷しておく。そして最初のキャンペーン情報印刷層２４の印刷の際には、この位置合わせ用のマークを目印として、キャンペーン情報印刷層２４の印刷位置が位置合わせ用のマークに合うように位置合わせ制御を行い、秘匿情報印刷層２１が形成された裏面２ｂと反対側となる表面２ａにキャンペーン情報印刷層２４を印刷により形成することになる。
【００４２】
なお、秘匿情報印刷層２１の印刷ピッチとキャンペーン情報印刷層２４の印刷ピッチとを同一にしておけば、順次キャンペーン情報印刷層２４の形成を行っていっても、これら秘匿情報印刷層２１とキャンペーン情報印刷層２４との印刷位置のずれが積算されていくことがない。
【００４３】
次いで、キャンペーン情報印刷層２４が形成された不透明基材２は、図２に示す第一接着剤塗布部４４にて、図７に示すように、不透明基材２の裏面２ｂ側である秘匿情報印刷層２１の印刷面上に接着剤が塗布されることで剥離不可接着部２２が形成されて次工程に送られる。
【００４４】
また、図２に示す第ニロール５１には、図８〜図１０に示すように、裏面に再剥離可能接着部２３が形成され、さらに再剥離可能接着部２３が剥離シート３２で被覆された透明基材２０が、ロール状に巻き取られている。このように、透明基材２０は、再剥離可能接着部２３、剥離シート３２が積層された状態で、第ニロール５１から巻き解いて引き出され、次工程に送られる。
【００４５】
そして、それぞれ次工程に送られた不透明基材２と透明基材２０は、図２に示す貼着部４５を通過させることにより、不透明基材２の剥離不可接着部２２を透明基材２０の表面に貼着させる。これにより、図１１に示すように、２層構造の連続する貼着ラベル体１０ａが剥離シート３２に貼着した状態で構成されることになる。
【００４６】
次にこの貼着ラベル体１０ａを、図２に示す打ち抜き部４６で、剥離シート３２以外を打ち抜いて不要部分４７を剥離シートから取り除き、図２に示す不要ロール４８に巻き取る。
【００４７】
これにより、図１２に示すように、キャンペーンラベル１０が貼着した状態の剥離シート３２が巻き取りロール４９にロール状に巻き取られる。このとき、剥離シート３２には、複数のキャンペーンラベル１０が一定間隔毎に貼着した状態とされることができ、この状態で巻き取りロール４９にロール状に巻き取られることになる。
【００４８】
本実施形態におけるキャンペーンシート１０は、図示しない貼り付け手段によって、剥離シート３２から剥がされて、被着体３１に貼着されることで、図１に示すように、キャンペーン可能状態となる。これにより、キャンペーンシート１０は、表側からキャンペーン情報印刷層２４が見え、被着体３１から剥がした時、ラベルの裏面側から秘匿情報印刷層２１を見ることができる。このように、キャンペーンシート１０が２層からなり、キャンペーン情報印刷層２４と秘匿情報印刷層２１とを同一の不透明機材２の表裏面２ａ，２ｂに印刷することで、これらをキャンペーンラベル１０に印刷する際に、重ねるラベルの素材が異なることによる引っ張りテンションに対する伸び長が互いに異なることがない。したがって、キャンペーン情報の印刷と秘匿憧報の印刷位置のずれが積算していかないようにすることができる。
【００４９】
これにより、たとえ、キャンペーン情報印刷層２４と秘匿情報印刷層２１との許容される位置ずれ範囲が極めて狭く、印刷工程おける不透明基材２と透明基材２０との伸び長の差が無視できない場合であっても、これらの位置ずれの発生を防止して、収率の低下を防止することができる。
【００５０】
なお、本実施形態におけるキャンペーンシート１０は、実際の大きさとしては、一枚が１０ｍｍ角程度、印刷工程おける不透明基材２の幅方向寸法は、３００ｍｍ程度、第一ロール４１に巻回された不透明基材２の長さ寸法は、４００ｍ程度、キャンペーン情報印刷層２４と秘匿情報印刷層２１との許容される位置ずれ範囲が０．５ｍｍ程度とされることができる。
【００５１】
さらに、本実施形態においては、反転部５２によって不透明基材２の表裏を反転させたが、反転部５２を用いずに、不透明基材２の表面２ａ表面および裏面２ｂにそれぞれ印刷することも可能である。
【符号の説明】
【００５２】
２…不透明基材
２ａ…表面
２ｂ…裏面
１０…キャンペーンラベル
１０ａ…貼着ラベル体
２０…透明基材
２１…秘匿情報印刷層
２２…剥離不可接着部
２３…再剥離可能接着部
２４…キャンペーン情報印刷層
３０…剥離表面
３１…被着体（商品）
３２…剥離シート
【図１】
2018017991.tif 000003
【図２】
2018017991.tif 000004
【図３】
2018017991.tif 000005
【図４】
2018017991.tif 000006
【図５】
2018017991.tif 000007
【図６】
2018017991.tif 000008
【図７】
2018017991.tif 000009
【図８】
2018017991.tif 000010
【図９】
2018017991.tif 000011
【図１０】
2018017991.tif 000012
【図１１】
2018017991.tif 000013
【図１２】
2018017991.tif 000014
【図１３】
2018017991.tif 000015